(57)【要約】【課題】端子金具の回り止め機構を形成する。【解決手段】バッテリポスト１２に接続されるポスト接続部２２を有する端子主体部２１に端子固定部３０が形成され、そこに立てられたスタッドボルト３５に、ボルト挿通孔４２，５２を有する２枚の第１端子４０、第２端子５０の端子接続部４１，５１が積層して挿通され、ナット３８を締め付けることで、端子固定部３０上に端子接続部４１，５１が積層して固定される。下側の第１端子４０の端子接続部４１には、端子固定部３０の両側縁を抱え込んで係止可能な一対の回り止め片４４が設けられる。上側の第２端子５０の端子接続部５１の先端縁には、一対の回り止め片４４の間に挟まれるような半円形をなす係合部５５が下向きに曲げられて形成される。【選択図】図１
2010092697.tif 000002
【特許請求の範囲】
【請求項１】
バッテリポストに接続されるポスト接続部を有する端子主体部の所定位置にボルトが立設されたバッテリ端子の前記ボルトに、ボルト挿通孔を有する複数枚の端子金具が積層して挿通され、前記ボルトに螺合したナットを締め付けて前記端子金具を積層状態に固定するようにしたものにおいて、
上下に重なる２枚の端子金具のうち下側の端子金具には、前記バッテリ端子の端子主体部の側縁に係止する回り止め片が設けられるとともに、上側の端子金具には、前記下側の端子金具に向けて曲げられ前記回り止め片と係合して回り止めされる係合部が設けられていることを特徴とするバッテリへの端子接続構造。
【請求項２】
前記下側の端子金具に設けられた前記回り止め片は、前記バッテリ端子の端子主体部の両側縁を抱え込んで係止するように一対備えられているとともに、前記上側の端子金具に設けられた係合部は、前記一対の回り止め片の間に挟まれるような略半円状に形成されていることを特徴とする請求項１記載のバッテリへの端子接続構造。
【請求項３】
前記上側の端子金具に設けられた係合部は、同上側の端子金具が下側の端子金具に重ねられた状態において、前記バッテリ端子の端子主体部または前記下側の端子金具のさらに下側に配された端子金具と干渉しない垂下長に留められていることを特徴とする請求項１または請求項２記載のバッテリへの端子接続構造。
【発明の詳細な説明】
【技術分野】
【０００１】
本発明は、バッテリに対して複数の端子を接続する部分の構造に関する。
【背景技術】
【０００２】
従来、バッテリへの端子接続構造の一例として、特許文献１に記載されたものが知られている。このものは、ポスト接続部を有する端子主体部の所定位置にスタッドボルトが立設されたバッテリ端子が備えられ、このバッテリ端子のポスト接続部がバッテリポストに接続される一方、ボルト挿通孔が形成された端子金具がスタッドボルトに挿通され、スタッドボルトに螺合したナットを締め付けて端子金具を固定するようになっている。そして、スタッドボルトに対して、複数枚の端子金具が積層して挿通され、ナットを締め付けることでそれらの端子金具を積層状態で固定するような使い方も実施されている。  
ここで、ナットを締め付けて端子金具を固定する場合に端子金具が連れ回りすることを規制する手段が講じられており、例えば、端子金具の両側縁に、バッテリ端子の端子主体部の両側縁を抱え込んで係止する一対の回り止め片を設けたものが知られている。
【特許文献１】特開２００６−３３８９９９公報
【発明の開示】
【発明が解決しようとする課題】
【０００３】
しかしながら、上記のように複数枚の端子金具を積層して挿通する使い方をする場合、上側に重なって配される端子金具では、スペース等の関係からバッテリ端子の端子主体部を利用した回り止め機構が形成できないことがあり、その対策が切望されていた。  
本発明は上記のような事情に基づいて完成されたものであって、その目的は、端子金具の回り止め機構を形成できるようにするところにある。
【課題を解決するための手段】
【０００４】
本発明のバッテリへの端子接続構造は、バッテリポストに接続されるポスト接続部を有する端子主体部の所定位置にボルトが立設されたバッテリ端子の前記ボルトに、ボルト挿通孔を有する複数枚の端子金具が積層して挿通され、前記ボルトに螺合したナットを締め付けて前記端子金具を積層状態に固定するようにしたものにおいて、上下に重なる２枚の端子金具のうち下側の端子金具には、前記バッテリ端子の端子主体部の側縁に係止する回り止め片が設けられるとともに、上側の端子金具には、前記下側の端子金具に向けて曲げられ前記回り止め片と係合して回り止めされる係合部が設けられているところに特徴を有する。
【０００５】
下側の端子金具は、そこに設けられた回り止め片が、バッテリ端子の端子主体部の側縁に係止することで回り止めされ、上側の端子金具は、そこに設けられた係合部が、上記のように回り止めされた下側の端子金具の回り止め片と係合することで回り止めされる。すなわち、バッテリ端子を利用した回り止めができない端子金具についても回り止め機能を担保することができ、結果、ナットを締め付けることによる複数枚の端子金具の固定作業を能率良く行うことができる。
【０００６】
また、以下のような構成としてもよい。  
（１）前記下側の端子金具に設けられた前記回り止め片は、前記バッテリ端子の端子主体部の両側縁を抱え込んで係止するように一対備えられているとともに、前記上側の端子金具に設けられた係合部は、前記一対の回り止め片の間に挟まれるような略半円状に形成されている。上側の端子金具に設けられた略半円形状の係合部の両端が、下側の端子金具の一対の回り止め片にそれぞれ当たることで、上側の端子金具の回り止めがなされる。係合部を略半円形としたことで係合部自身の強度が高く、より強固に回り止め機能を果たすことができる。
【０００７】
（２）前記上側の端子金具に設けられた係合部は、同上側の端子金具が下側の端子金具に重ねられた状態において、前記バッテリ端子の端子主体部または前記下側の端子金具のさらに下側に配された端子金具と干渉しない垂下長に留められている。上下の端子金具を確実に密着させて重ねることができる。
【発明の効果】
【０００８】
本発明によれば、バッテリ端子を利用した回り止めができない端子金具についても回り止め機能を担保することができる。
【発明を実施するための最良の形態】
【０００９】
＜実施形態１＞
以下、本発明の実施形態１を図１ないし図１１に基づいて説明する。本実施形態では、自動車に搭載されたバッテリ１０に対し、バッテリ端子２０を介して２個の端子金具が接続され、さらに同バッテリ端子２０に、機器装着用のブラケット７０が取付可能とされた場合を例示している。２個の端子金具は例えば、スタータに接続された第１端子４０と、フュージブルリンク（以下、単にＦＬ）に接続された第２端子５０である。一方ブラケット７０は、電流センサ６０を装着するために機能する。
【００１０】
バッテリ１０は、図２及び図５に示すように、略箱型をなすバッテリ本体１１の上面に、バッテリポスト１２が立てられた構造である。バッテリポスト１２は、鉛等により上面側が次第に小径となった円錐台状に形成され、上記したバッテリ本体１１の上面における一縁辺から所定寸法内方に入った位置において、台座１３に載せられた形態で設けられている。このバッテリポスト１２に、バッテリ端子２０が接続されるようになっている。
【００１１】
バッテリ端子２０は、図１及び図２に示すように、導電性に優れた厚肉の金属板をプレス加工する等によって形成された端子主体部２１を有しており、端子主体部２１の一端側には、バッテリポスト１２に接続されるポスト接続部２２が、他端側には、第１端子４０と第２端子５０とを重ねて固定するための端子固定部３０が形成されている。この端子固定部３０には、さらに電流センサ６０に設けられたブラケット７０が重ねて取付可能とされている。
【００１２】
ポスト接続部２２は、バッテリポスト１２に外嵌される３／４円強の円弧状をなす締付輪２３と、締付輪２３の両端部から互いに対向するように延出された一対の延出板２４とからなる。締付輪２３は、自然状態ではバッテリポスト１２に対して遊嵌可能な径寸法を有している。一対の延出板２４には、ボルト２５が貫通して装着されて、同ボルト２５の一方の延出板２４からの突出端側にナット２６が螺合されており、ボルト２５の締め込み量を調整することで両延出板２４の間隔が増減され、ひいては締付輪２３の径が増減される（縮径または拡径される）ようになっている。ボルト２５の締付量を調整することにより、バッテリポスト１２に対してポスト接続部２２を所望の保持力でもって接続状態に保持可能となっている。
【００１３】
締付輪２３の左右の下縁部にはフランジ２８が形成され、各フランジ２８には位置決め凹部２９が切り欠き形成されている。一方、上記したバッテリポスト１２の台座１３には、各位置決め凹部２９に嵌る突部１５が形成されている。両位置決め凹部２９を対応する突部１３に嵌めることにより、バッテリ端子２０をバッテリ本体１１の上面に載置する場合の位置決めと、回り止めとが図られるようになっている。
【００１４】
端子固定部３０は、図３にも示すように、前後の面（上記したポスト接続部２２と対向した面とその反対側の面）が開口した扁平な箱形に形成されている。この端子固定部３０内には、スタッドボルト３５の頭部３６が収容され、軸部３７が上板３１Ｕに形成された挿通孔３２を通して上方に突出されている。スタッドボルト３５の頭部３６は平面方形に形成され、その一辺に、下板３１Ｄの後縁に立てられた係止板３３が当てられることで、回り止めされている。言い換えると、端子固定部３０の上板３１Ｕには、スタッドボルト３５の軸部３７が回り止めされて立てられた状態にある。  
したがって端子金具（第１端子４０と第２端子５０）は、スタッドボルト３５（軸部３７）を挿通しつつ端子固定部３０の上面に載せられるようになっている。スタッドボルト３５の軸部３７には、ナット３８が螺合されるようになっている。
【００１５】
続いて、端子金具について説明する。両端子４０，５０は、導電性に優れた金属板をプレス加工して形成されている。  
第１端子４０は、スタータから引き出された相対的な太物電線（図示せず）の端末に接続されるものであって、図１及び図２に示すように、全体としてＬ形に形成されており、同図の水平部分が、上記したバッテリ端子２０の端子固定部３０に載せられて固定される端子接続部４１に、垂下部分が、太物電線の端末に接続される電線接続部４７となっている。  
端子接続部４１は、短寸の帯状をなし、先端縁が半円形状に形成されているとともに、その半円の中心となる位置に、スタッドボルト３５の軸部３７を挿通可能なボルト挿通孔４２が形成されている。電線接続部４７は端子接続部４１の２倍近くの長さを有し、下側の位置には、電線の端末に圧着されるバレル４８が設けられている。
【００１６】
第１端子４０の端子接続部４１における左右の側縁、詳細には半円形部４３の直後の位置には、一対の回り止め片４４が形成されている。この一対の回り止め片４４は、左右方向に突設された舌片が下向きに直角曲げされることで形成され、バッテリ端子２０における端子固定部３０の左右の側面、より詳細には同左右の側面の長さ方向の中央部から少し後方に寄った位置の上側部分を、若干のクリアランスを持って抱え込むことができるように、互いに平行姿勢で対向して形成されている。  
回り止め片４４の形成位置から所定間隔を隔てた後方位置には、カバー８０（図１０参照）の外れ止めに機能する係止片４５が、水平姿勢で左右両側に突出形成されている。
【００１７】
第２端子５０は、ＦＬから引き出された相対的な細物電線（図示せず）の端末に接続されるものであって、同図に示すように、全体としてＬ形に形成されており、同じように、水平部分が、上記した第１端子４０の端子接続部４１の上面に載せられる端子接続部５１に、垂下部分が、細物電線の端末に接続される電線接続部５７となっている。但し、第１端子４０と比較すると、端子接続部５１は２倍程度に長く、電線接続部５７は若干短くなっている。
【００１８】
端子接続部５１は同様に、先端縁が半円形状に形成され、その半円の中心となる位置にボルト挿通孔５２が形成されている。第２端子５０の端子接続部５１の半円の径は、第１端子４０の端子接続部４１の半円の径よりも少し大きく設定されている。電線接続部５７の下端には、細物電線の端末に圧着されるバレル５８が設けられている。  
第２端子５０の回り止め構造については、後述する。
【００１９】
次に、電流センサ６０並びにブラケット７０について説明する。電流センサ６０は、図７に示すように、合成樹脂製のハウジング６１内に、ＦＬに向かう電線に流通する電流を検知するコイル等の検知部（図示せず）が、モールド成形等により埋設されたものであって、前後方向にやや扁平なブロック状に形成されている。ハウジング６１には、前後の面を貫通するようにして横長の貫通孔６２が形成されており、上記した第２端子５０の端子接続部５１が、後面側から前面に貫通して挿通されるようになっている。
【００２０】
ハウジング６１の前面における第２端子５０の突設位置の上方位置には、ブラケット７０が装着されるようになっている。ブラケット７０は金属板製であり、水平部分の後端に立ち上がり部が形成されて、全体としてＬ形に形成されている。水平部分が、バッテリ端子２０の端子固定部３０に載せられて固定される端子接続部７１となっているとともに、立ち上がり部が、ハウジング６１に対する装着部７７となっている。
【００２１】
端子接続部７１の先端側には、スタッドボルト３５の軸部３７を挿通可能なボルト挿通孔７２が形成されている。また、端子接続部７１における左右の側縁の先端側には、一対の前側回り止め片７４が形成されている。この前側回り止め片７４は、上記した第１端子４０の回り止め片４４よりも幅広の舌片が下向きに直角曲げされることで形成されている。一対の前側回り止め片７４は、バッテリ端子２０の端子固定部３０の左右の側面のうち、第１端子４０の回り止め片４４の配設位置の前方領域における上側部分を、若干のクリアランスを持って抱え込むことができるように、互いに平行姿勢で対向して形成されている。
【００２２】
また、端子接続部７１の左右の側縁における前側回り止め片７４から所定間隔を開けた後方位置には、一対の後側回り止め片７５が形成されている。前側回り止め片７４と後側回り止め片７５との間隔は、上記した第１端子４０の回り止め片４４と係止片４５とを間に嵌めて逃がすことが可能な間隔である。  
一対の後側回り止め片７５は、前側回り止め片７４の約半分の幅の舌片が下向きに直角曲げされることで形成され、前側回り止め片７４よりも少し小さい対向間隔を開けて互いに平行姿勢をなして形成されている。この一対の後側回り止め片７５は、第１端子４０の各係止片４５の後面側に当接可能となっている。
【００２３】
電流センサ６０のハウジング６１の前面には、ブラケット７０の装着部７７が上方から圧入可能とされる装着溝６４が形成されている。ブラケット７０の装着部７７が装着溝６４に上方から圧入されて正規位置まで押し込まれると、端子接続部７１が水平姿勢で前方に突出した状態で装着されるようになっている。また、第２端子５０の端子接続部５１が貫通孔６２から前方に突出されると、ブラケット７０の下面側に重なって配設可能となっている。
【００２４】
さて、第２端子５０の回り止め構造について説明する。第２端子５０の端子接続部５１における半円形をなす先端縁には、その全長（半円周）にわたって下向きに直角曲げされたフランジが形成され、すなわち半円形状をなす係合部５５が形成されている。ボルト挿通孔５２，４２の中心を整合させた状態において、第２端子５０の端子接続部５１が、第１端子４０の端子接続部４１の上面に重ねられた場合、図４及び図８に示すように、第２端子５０の端子接続部５１の半円形の係合部５５が、第１端子４０の端子接続部４１の半円形をなす先端縁の外側を覆い、かつ同端子接続部４１に設けられた左右の回り止め片４４の間に挟まれて配されるようになっている。言い換えると、係合部５５の両端面５６が、左右の回り止め片４４の前面に当たるようになっている。  
また、係合部５５の垂下長ｈ（端子接続部４１の下面から同係合部５５の下端までの長さ）は、図６に示すように、第１端子４０の端子接続部４１の厚さ以下の寸法に設定されている。
【００２５】
なお、電流センサ６０のブラケット７０が上側の第２端子５０の上面にさらに重ねられた場合は、図８に示すように、係合部５５の両端が、ブラケット７０の前側回り止め片７４の内側のスペースに収められた状態で、ブラケット７０の端子接続部７１が、第２端子５０の端子接続部５１の上面に重ねられるようになっている。
【００２６】
本実施形態は上記のような構造であって、続いてその作用を説明する。初めに、バッテリ１０に対して第１端子４０と第２端子５０とを接続する場合を例示する。  
まず、図２に示すように、バッテリ端子２０のポスト接続部２２を構成する締付輪２３がバッテリポスト１２に嵌められ、下縁部のフランジ２８に形成された左右の位置決め凹部２９が、台座１３に形成された左右の突部１５に嵌められて、バッテリ端子２０が位置決めされる。続いて、締付輪２３の延出板２４に装着されたボルト２５とナット２６とが適宜の工具で締め付けられることにより、締付輪２３が縮径されてバッテリポスト１２を挟持し、すなわちバッテリ端子２０のポスト保持部２２がバッテリポスト１２に対して接続された状態に保持される。併せてバッテリ端子２０は、バッテリ本体１１の上面の所定位置に回り止めされた状態で装着される。
【００２７】
この状態から、図２及び図３に示すように、スタータから引き出された太物電線の端末に接続された第１端子４０が、端子接続部４１をバッテリポスト１２に向けた姿勢とされ、同端子接続部４１が、ボルト挿通孔４２をスタッドボルト３５の軸部３７に通しつつ、バッテリ端子２０の端子固定部３０の上面に当てられる。このとき、端子接続部４１に設けられた左右一対の回り止め片４４が、端子固定部３０の左右の側面のうち、長さ方向の中央部よりも少し後方に寄った位置の上側部分を抱え込むように配される。第１端子４０の電線接続部４７は、バッテリ本体１１の一側面に沿うように下向きに配される。
【００２８】
次に、ＦＬから引き出された細物電線の端末に接続された第２端子５０が、同じく端子接続部５１をバッテリポスト１２に向けた姿勢とされ、同端子接続部５１が、ボルト挿通孔３２をスタッドボルト３５（軸部３７）に通しつつ、先に装着された第１端子４０の端子接続部４１の上面に重ねられる。このとき、図４及び図６に示すように、第２端子５０の端子接続部５１の先端縁に設けられた半円形の係合部５５が、第１端子４０の端子接続部４１の半円形をなす先端縁の外側を覆い、かつ同端子接続部４１に設けられた左右の回り止め片４４の間に挟まれた状態となる。第２端子５０の電線接続部５７は、上記した第１端子４０の電線接続部４７の外側に同じく下向きに配される。
【００２９】
このように、バッテリ端子２０の端子固定部３０の上面に対して、第１端子４０の端子接続部４１と、第２端子５０の端子接続部５１とが、スタッドボルト３５に通されつつ順次に重ねられたら、スタッドボルト３５の軸部３７の上端にナット３８が螺合されて、トルクレンチ等の工具により締め付けられる。終盤になると、第１端子４０の端子接続部４１と第２端子５０の端子接続部５１とを、端子固定部３０の上面に重ねて押し付けつつナット３８が締め付けられる。
【００３０】
ここで、下側の第１端子４０は、端子接続部４１に設けられた左右一対の回り止め片４４が、バッテリ端子２０の端子固定部３０の左右の側面を抱え込んでいて、特に電線接続部４７側から見た右側の回り止め片４４が、端子固定部３０の対向した右側面に当たることで回り止めされる。また、上側の第２端子５０は、端子接続部５１の先端縁に設けられた半円形の係合部５５が、上記のように回り止めされた第１端子４０の両回り止め片４４に挟まれていて、特に係合部５５における右側の端面が、右側の回り止め片４４に当たることで同じく回り止めされる。  
そのため、第１端子４０並びに第２端子５０が連れ回りされることを回避しつつ、ナット３８の締め付けにより両端子４０，５０を端子固定部３０へ固定する作業を短時間で能率良く行うことができる。
【００３１】
なお、係合部５５の垂下長ｈが、第１端子４０の端子接続部４１の厚さ以下の寸法に制限されているから、同係合部５５の垂下端がバッテリ端子２０の端子固定部３０の上面に当たることなく、第２端子５０の端子接続部５１の下面を、第１端子４０の端子接続部４１の上面に確実に重ねることができる。
【００３２】
また、第１端子４０と第２端子５０とをバッテリ端子２０から外す場合は、スタッドボルト３５に締め付けられていたナット３８を緩めて外すのであるが、その場合、下側の第１端子４０は、端子接続部４１に設けられた左側の回り止め片４４が、端子固定部３０の対向した左側面に当たり、また上側の第２端子５０は、係合部５５における左側の端面が、左側の回り止め片４４に当たることで、それぞれ連れ回りすることが規制され、ナット３８はスムーズに外される。
【００３３】
一方、バッテリ端子２０に対して、第１端子４０と第２端子５０とを接続することに加え、電流センサ６０をブラケット７０を介して取り付ける場合は、以下のようにして行う。これを図７ないし図９によって説明する。  
この場合は、図７に示すように、電流センサ６０のハウジング６１の前面に、既述した要領により、ブラケット７０が、端子接続部７１を前方に突出させた姿勢で装着される。
【００３４】
組み付けの手順としては、まず上記と同様に、バッテリ端子２０がバッテリ本体１１の上面の所定位置に位置決めかつ回り止めされて載置されるとともに、ポスト保持部２２がバッテリポスト１２に嵌着されて固定される。この状態から、スタータから引き出された太物電線の端末に接続された第１端子４０の端子接続部４１が、ボルト挿通孔３２にスタッドボルト３５の軸部３７を通して、バッテリ端子２０の端子固定部３０の上面に当てられる。同様に、端子接続部３１の左右一対の回り止め片４４が、端子固定部３０の左右の側面における長さ方向の中央部よりも少し後方に寄った位置の上側部分を抱え込む。
【００３５】
次に、ＦＬから引き出された細物電線の端末に接続された第２端子５０の端子接続部５１が、電流センサ６０のハウジング６１の貫通孔６２を通して、ブラケット７０の端子接続部７１の下面側に突出される。そして、図７に示すように、ボルト挿通孔５２，７２の中心同士を整合させた状態で、第２端子５０の端子接続部５１がブラケット７０の端子接続部７１の下面に重ねられ、このように重ねられたブラケット７０と第２端子５０の端子接続部７１，５１が、ボルト挿通孔７２，５２にスタッドボルト３５（軸部３７）を通しつつ、先に装着された第１端子４０の端子接続部４１の上面に重ねられる。
【００３６】
このとき、上記したと同様に、第２端子５０の端子接続部５１の先端縁の半円形の係合部５５が、第１端子４０の端子接続部４１の外側を覆いつつ、同端子接続部４１に設けられた左右の回り止め片４４の間に挟まれる。  
それに加え、ブラケット７０の端子接続部７１に設けられた左右一対の前側回り止め片７４が、バッテリ端子２０の端子固定部３０の左右の側面のうち、第１端子４０の回り止め片４４により抱え込まれた位置の前方領域を抱え込むとともに、左右一対の後側回り止め片７５が、第１端子４０の左右の係止片４５の後面側に当てられた状態となる。
【００３７】
第１端子４０、第２端子５０及び電流センサ６０のブラケット７０を、バッテリ端子２０に固定するに当たっては、スタッドボルト３５の軸部３７に螺合されたナット３８が、第１端子４０、第２端子５０及びブラケット７０の各端子接続部４１，５１，７１を、端子固定部３０の上面に重ねて押し付けつつ締め付けられる。一方、第１端子４０、第２端子５０及び電流センサ６０のブラケット７０を外す場合は、締め付けられていたナット３８が緩められる。  
この際、一番下の第１端子４０は、端子接続部４１の左右一対の回り止め片４４が、バッテリ端子２０の端子固定部３０の左右の側面に当たることで回り止めされる。一番上の電流センサ６０のブラケット７０は、端子接続部７１に設けられた左右一対の前側回り止め片７４が、バッテリ端子２０の端子固定部３０の左右の側面に当たり、左右一対の後側回り止め片７５が、上記した第１端子４０の係止片４５の後面側に当たることで回り止めされる。
【００３８】
中央に挟まれた第２端子５０については、端子接続部５１の基端側の左右の側縁が、その上側に回り止めされて重ねられたブラケット７０の左右一対の後側回り止め片７５に当たることで、元々はある程度の回り止めが可能であるが、ここでも同様に、端子接続部５１の先端縁に設けられた半円形の係合部５５の両端面５６が、第１端子４０の両回り止め片４４に当たることで、より確実に回り止めされる。
【００３９】
以上により、第１端子４０、第２端子５０及び電流センサ６０のブラケット７０を、バッテリ端子２０の端子固定部３０に重ねて固定するべくナット３８を締め付ける作業、並びに第１端子４０、第２端子５０及びブラケット７０を外すべくナット３８を緩める作業を、スムーズに能率良く行うことができる。  
なお、電流センサ６０のハウジング６１（合成樹脂製）の貫通孔６２を貫通して配された第２端子５０の回り止めを積極的に行い、すなわち端子接続部５１の振れ角度を小さく抑えたから、同端子接続部５１の左右の側縁が貫通孔６２の側壁に押し付けられて損傷を与えることを、未然に防止できる。
【００４０】
本実施形態によれば、第２端子５０の回り止めを図るための構造として、端子接続部５１の先端縁を下向きに折り曲げて半円形の係合部５５を形成して、同係合部５５を、下面に重ねられた第１端子４０の左右一対の回り止め片４４で挟む構造としている。すなわち本来必要性が無かったり、スペースの関係等で、バッテリ端子２０を利用した回り止め機構が備えられていなかった第２端子５０について、第１端子４０を利用した回り止め機構が備えられている。  
そのため、ブラケット７０無しで第１端子４０と第２端子５０とを固定する場合も、第２端子５０の回り止めが図られて、ナット３８を締め付けあるいは緩める作業をスムーズにかつ能率良く行うことができる。  
また、ブラケット７０を重ねて固定する場合も、その重ね合わせを阻害することなく、第２端子５０のより確実な回り止めも担保される。
【００４１】
なお、図１０及び図１１に示すように、バッテリ端子２０に第１端子４０と第２端子５０とを接続した場合に、それらの上方を覆ってカバー８０が装着されるようになっている。従来は、同カバー８０の左右の内側面に設けられたロック突部８１が、第１端子４０の端子接続部４１における左右の側縁に突設された係止片４５に係止することで、カバー８０が被着状態にロックされるようになっていたが、係止力が不足する嫌いがあった。  
そこで、カバー８０の天井面から、先端に係止鈎部８４を設けたロック片８３が垂設され、カバー８０が正規に被着された場合に、バッテリ端子２０の端子固定部３０における前側の開口３０Ａ（図３参照）に係止鈎部８４が嵌って係止するようになっており、係止力を増してカバー８０が外れ難くされている。
【００４２】
＜実施形態２＞
次に、本発明の実施形態２を図１２及び図１３によって説明する。  
実施形態２では、第２端子５０に設けられる係合部５５Ａの形状に変更が加えられている。実施形態２の係合部５５Ａは、上記実施形態１に示した半円形の係合部５５の両端部を残したような形状であり、言い換えると、第２端子５０の端子接続部５１における半円形をなす先端縁の両端部には、小幅の舌片が下向きに直角曲げされることで、左右一対の小幅の係合部５５Ａが形成されている。
【００４３】
そして、ボルト挿通孔５２，４２の中心を整合させた状態において、第２端子５０の端子接続部５１が、第１端子４０の端子接続部４１の上面に重ねられた場合、図１３に示すように、第２端子５０の端子接続部５１の左右の係合部５５Ａが、第１端子４０の端子接続部４１に設けられた左右の回り止め片４４の前面に対向するようになっている。  
その他の構造については、上記実施形態１と同様であり、同一機能を有する部位については同一符号を付すことで、重複した説明は省略する。
【００４４】
実施形態２の第２端子５０によれば、端子接続部５１に設けられた左右の係合部５５Ａが、回り止め状態に配されている第１端子４０の対応する回り止め片４４に当たることで、回り止めがなされる。
【００４５】
＜他の実施形態＞
本発明は上記記述及び図面によって説明した実施形態に限定されるものではなく、例えば次のような実施形態も本発明の技術的範囲に含まれる。  
（１）上記実施形態では、３枚目にブラケットを重ねて固定する場合を例示したが、３枚目が電線の端末に接続された端子金具であってもよい。  
（２）ブラケットを含めて端子金具が４枚以上重ねて取り付けられる形式のものにも、同様に適用することができる。  
（３）端子金具は、上記実施形態に例示したＬ形に限らず、電線接続部から端子接続部が真っ直ぐに延びて形成された形状のものであってもよい。
【００４６】
（４）上記実施形態では、下側に配される端子金具の回り止め片を利用して上側の端子金具の回り止めを図ることを、最下面の端子金具とその上の端子金具に適用した場合を例示したが、端子金具が３枚以上積層される場合に、下から２枚目と３枚目等、積層の途中の任意の上下２枚に適用することも可能である。  
（５）バッテリ端子の回り止め構造としては上記実施形態に例示したものに限らず、例えばバッテリ端子に回り止め部材を装着してこれをバッテリ本体に係止する等、他の回り止め構造を採用してもよい。
【図面の簡単な説明】
【００４７】
【図１】本発明の実施形態１に係るバッテリ端子に対して２枚の端子金具を重ねて固定する場合の分解斜視図
【図２】同分解側面図
【図３】組み付け途中の状態の断面図
【図４】同平面図
【図５】組み付け完了時の斜視図
【図６】同一部切欠側面図
【図７】電流センサのブラケットを加えて固定する場合の組付途中の状態の斜視図
【図８】同一部切欠平面図
【図９】組み付け完了時の斜視図
【図１０】カバーの被着途中の状態を示す一部切欠側面図
【図１１】カバーを被着した状態の一部切欠側面図
【図１２】実施形態２に係る２枚の端子金具を重ねて固定する場合の分解斜視図
【図１３】その組み付け途中の状態の平面図
【符号の説明】
【００４８】
１０…バッテリ
１２…バッテリポスト
２０…バッテリ端子
２１…端子主体部
２２…ポスト接続部
３０…端子固定部
３５…スタッドボルト（ボルト）
３７…軸部
３８…ナット
４０…第１端子（下側の端子金具）
４１…端子接続部
４２…ボルト挿通孔
４４…回り止め片
５０…第２端子（上側の端子金具）
５１…端子接続部
５２…ボルト挿通孔
５５，５５Ａ…係合部
【図１】
2010092697.tif 000003
【図２】
2010092697.tif 000004
【図３】
2010092697.tif 000005
【図４】
2010092697.tif 000006
【図５】
2010092697.tif 000007
【図６】
2010092697.tif 000008
【図７】
2010092697.tif 000009
【図８】
2010092697.tif 000010
【図９】
2010092697.tif 000011
【図１０】
2010092697.tif 000012
【図１１】
2010092697.tif 000013
【図１２】
2010092697.tif 000014
【図１３】
2010092697.tif 000015